(57)【要約】【課題】搬送回転体によって原稿の位置がずれないようにするとともに、装置の小型化を図る。【解決手段】画像読取装置４００は、原稿が載置される原稿台ガラス８４と、原稿台ガラスの読取位置に送り込まれた原稿を読取位置から送り出すプラテンローラ８及び原稿台ガラスに載置された原稿をプラテンローラとともに原稿台ガラスに押圧可能な弾性を有する圧板５５を有して原稿台ガラスに対して開閉可能な原稿送り部Ｆと、原稿台ガラスに載置された原稿を原稿台ガラスの下方で移動して読み取り、読取位置に送り込まれた原稿を読取位置で停止して読み取る原稿読取センサと、原稿送り部で原稿台ガラスを閉じて圧板で原稿を原稿台ガラスに押圧した後、プラテンローラを押圧してプラテンローラが原稿を原稿台ガラスに押圧するようにするプランジャ５６と、を備えている。【選択図】      図２
2004221993.tif 000002
【特許請求の範囲】
【請求項１】
画像が形成されたシートが載置される読取ガラスと、
前記読取ガラスの読取位置に送り込まれた前記シートを前記読取位置から送り出す搬送回転体及び前記読取ガラスに載置された前記シートを前記搬送回転体とともに前記読取ガラスに押圧可能な弾性を有する押さえ部材を有して前記読取ガラスに対して開閉可能なシート送り部と、
前記読取ガラスに載置された前記シートを前記読取ガラスの下方で移動して読み取り、前記読取位置に送り込まれた前記シートを前記読取位置で停止して読み取る読取手段と、
前記シート送り部で前記読取ガラスを閉じて前記押さえ部材で前記シートを前記読取ガラスに押圧した後、前記搬送回転体を押圧して前記搬送回転体が前記シートを前記読取ガラスに押圧するようにする押圧手段と、
を備えたことを特徴とする画像読取装置。
【発明の詳細な説明】
【０００１】
【発明の属する技術分野】
本発明は、シートに形成された画像を読み取る画像読取装置、特に、読取ガラスに載置されたシートの位置をずらすことなくシートの画像を読み取る画像読取装置に関する。
【０００２】
【従来の技術】
従来、デジタル複写機、ファクシミリ、プリンタ、及びこれらの複合機等のように、画像形成部、画像読取部、画像読取部の読取位置に画像を形成したシート（以下、「原稿」と言う）を１枚ずつ供給して読み取り終了後の原稿を原稿排出台に排出する原稿送り装置等を備えた画像形成装置がある。
【０００３】
従来、画像形成装置には、例えば、図９乃至図１２に示す第１従来例の画像形成装置と、図１３乃至図１９に記載の第２従来例の画像形成装置（例えば、特許文献１を参照）とがある。
【０００４】
（第１従来例の画像形成装置）
図９乃至図１２に示す第１従来例の画像形成装置１００は、画像形成部１０１、画像読取部１０２、及び原稿送り部１０３等を備えている。画像読取部１０２と、原稿送り部１０３は、画像読取装置１２０を構成している。
【０００５】
画像読取部１０２は、読取センサ１０４を所定の位置に固定して、シート状の原稿Ｐ１を原稿送り部１０３によって搬送しながら画像を読み取る「流し読みモード」と、本などの厚みのある原稿を原稿台ガラス１０５上に固定して、読取センサ１０４を矢印Ａ方向に移動させながら画像を読み取る「固定読みモード」との２通りの方法で画像を読み取るようになっている。
【０００６】
まず、「流し読みモード」の説明をする。原稿送り部１０３の原稿トレイ１０６に積載された原稿Ｐ１は、予備搬送ローラ１０７と予備搬送押圧板１０８とにより送り出されて、分離片１０９と分離ローラ１１０とにより１枚ずつに分離され、給紙ローラ対１１１，１１２によって画像読取部１０２の読取位置１１３に搬送される。読取位置１１３に搬送された原稿Ｐ１は、プラテンローラ１１４によって原稿台ガラス１０５に密着して搬送される。このとき、画像読取部１０２は、原稿送り部１０３によって搬送される原稿Ｐ１を、読取位置１１３に移動を停止した読取センサ１０４によって、画像を読み込む。読み取り後の原稿Ｐ１は、排紙ローラ対１１５，１１６によって、原稿排紙トレイ１１７に排出される。
【０００７】
次に、「固定読みモード」の説明をする。原稿台ガラス１０５上には、「固定読みモード」のときに、原稿Ｐ２を原稿台ガラス１０５に載置するときの載置指示手段となる指標１１８を設けてある。指標１１８は、流し読み時の読取位置１１３の右側に配置してある。原稿台ガラス１０５上には、原稿Ｐ２を指標１１８に左端を突き当てて載置される。画像読取部１０２は、読取センサ１０４を不図示の駆動機構により、矢印Ａ方向に移動させながら、原稿台ガラス１０５に載置した原稿を読み込む。原稿台ガラス１０５上に載置された原稿Ｐ２は、浮かないように原稿送り部１０３の圧板１１９によって原稿台ガラス１０５に押圧される。
【０００８】
上記説明したように、第１従来例の画像形成装置は、「流し読みモード」と「固定読みモード」とで画像を読み込む位置が異なっている。従って、第１従来例の画像形成装置は、図１１に示すように、最大原稿サイズの長さＬ１と、左側に指標１１８の幅の分Ｌ２と、さらにその左に「流し読みモード」時の読取位置１１３を確保するための幅の分Ｌ３とを加えた分の幅が最低限必要となり、装置の小型化を図ることが困難であった。
【０００９】
（第２従来例の画像形成装置）
そこで、図１３に示す第２従来例の画像形成装置２００のように、「流し読みモード」時の読取位置を画像読取部の右側に配置したものがある。第２従来例の画像形成装置２００は、画像形成部Ａ、画像読取部Ｂ、原稿送り部Ｃ等を備えている。画像読取部Ｂと原稿送り部Ｃは、画像読取装置Ｅを構成している。
【００１０】
この画像読取部Ｂも、固定読みモードと流し読みモードとで原稿を読み取るようになっている。画像読取部Ｂは、フレーム２８１に走査レール２８２を左右方向に向けて配設してある。画像読取部Ｂは、走査レール２８２上を原稿読取センサ２８３、例えばコンタクトイメージセンサ（ＣＩＳ）が原稿台ガラス２８４と平行に走査して、その原稿台ガラス２８４上にセットされた原稿を読み取るようになっている（固定読みモード）。
【００１１】
画像読取部Ｂは、原稿台ガラス２８４に原稿がセットされるとき、原稿の先端部（左側）が突き当てられる突き当て部２８０を有している。また、画像読取部Ｂは、原稿読取センサ２８３を読取位置Ｄに停止させて、原稿送り部Ｃによって原稿積載トレイ２５２から１枚ずつ供給されて読取位置Ｄ上を副走査方向に移動する原稿を読み取るようになっている（流し読みモード）。
【００１２】
第２従来例の画像形成装置における原稿送り部Ｃの構成について説明する。
【００１３】
図１４は、原稿送り部Ｃの正面断面図を示す。
【００１４】
原稿送り部Ｃは、原稿の画像面を下向きにして載置する原稿積載トレイ２５２と、原稿に対向する位置にピックアップローラ２０３と、その下流にパッド２０４及び分離ローラ２０５からなる分離部とを有している。なお、ピックアップローラ２０３は、分離ローラ２０５の回転中心軸２０１に回動自在に設けた給紙アーム２１９，２２０（２２０は不図示）に回転自在に設けてある。ピックアップローラ２０３は、画像を下向きにして載置された原稿束の１番上（ラストページ）に接するようになっている。
【００１５】
また、ピックアップローラ２０３と分離ローラ２０５との間には、原稿セットセンサ２４４を設けてある。原稿セットセンサ２４４は、原稿積載トレイ２５２上に原稿があるか否かを検知するようになっている。分離ローラ２０５の下流には、レジストローラ対２０６，２０７を設けてある。分離ローラ２０５とレジストローラ対２０６，２０７との間には、レジ前センサ２４５を設けてある。レジ前センサ２４５は、分離ローラ２０５が原稿をレジストローラ対２０６，２０７まで搬送するための搬送量を決めるために設けてある。
【００１６】
レジストローラ対２０６，２０７の下流には、画像読取部Ｂの原稿台ガラス２８４上に原稿を押し付けながらその原稿を搬送するプラテンローラ２０８を配設してある。プラテンローラ２０８の下流には、原稿台ガラス２８４上の原稿を排出する搬送ローラ対２０９，２１０を配設してある。さらに下流には、原稿を排出トレイ２１８に排出する排紙ローラ対２１１，２１２を配設してある。
【００１７】
図１５は、画像読取部Ｂと原稿送り部Ｃの上視断面図である。図１５に示すように、符号２６２で示すヒンジは、画像読取部Ｂと原稿送り部Ｃの左側後方に設けてある。符号２６３で示すヒンジは右側後方に設けてある。
【００１８】
図１６に示すように、プラテンローラ２０８は、前後を揺動アーム２４８，２４９に取り付けられており、前後の揺動アーム２４８，２４９の軸受け部２４８ｂ，２４９ｂを中心に回転するようになっている。前後の揺動アーム２４８，２４９は軸受け部２４８ａ，２４９ａを回動中心として揺動自在になっており、揺動アーム２４８，２４９とともにプラテンローラ２０８の前後が独立して揺動するようになっている。また、前後の揺動アーム２４８，２４９に各々掛けられた付勢ばね２５３，２５４により、前後の揺動アーム２４８，２４９の最下部２４８ｃ，２４９ｃ（不図示）が原稿台ガラス２８４に確実に設置するようになっている。
【００１９】
また、図１４に示すように、原稿送り部Ｃは、固定読みモード時に、原稿台ガラス２８４上の原稿を押圧する圧板２５５を有している。圧板２５５は、上位のスポンジ等の弾性部材２５５ａと下位の白色シート部２５５ｂとを貼り合わせて構成されている。原稿送り部Ｃを閉じた時には、原稿台ガラス２８４上の原稿に白色シート部２５５ｂが設置し、その後、ゴム足２６４，２６５，２６６が画像読取部Ｂに設置するまで弾性部材２５５ａが圧縮される。従って、原稿台ガラス２８４上の原稿は、確実に原稿台ガラス２８４に押圧されて、載置された位置から動かないようになっている。
【００２０】
また、プラテンローラ２０８は、揺動アーム２４８，２４９によって前後が独立して、原稿台ガラス２８４に接地するようになっているため、原稿送り部Ｃの接地状態が各機構間の寸法誤差によって若干異なっても、読取部では原稿台ガラス２８４に一定の状態で接地できるため、プラテンローラ２０８が原稿台ガラス２８４から所定以上浮くことで発生する画像かぶりが発生することなく確実に読み取りを行うことができる。
【００２１】
以上、説明した図１３に示す第２従来例の画像形成装置２００は、読取位置Ｄを画像読取部Ｂの右側に配置してある。従って、第２従来例の画像形成装置２００は、第１従来例の画像形成装置１００と異なって、流し読みモード時の読取位置と、固定読みモード時の読取位置との間に、指標１１８を配置することなく、左端に突き当て部２８０を配置することができるので、原稿台ガラス２８４を小さくすることができるようになっている。
【００２２】
また、第２従来例の画像形成装置２００は、図１５に示すように、固定読みモード時に、最大原稿サイズ（本従来例ではＬＧＬサイズ）の後端をプラテンローラ２０８が押圧するようにして、原稿台ガラス２８４をさらに小型化することで、画像読取部Ｂの小型化を図っている。ＬＧＬ原稿Ｐ２（最大サイズ原稿）の後端を圧板２５５ではなく、プラテンローラ２０８で押圧するようにしても、プラテンローラ２０８が原稿台ガラス２８４に押圧されるため、ＬＧＬ原稿の後端の浮きが防止されて、画像かぶりが発生しなくなり、確実に原稿の読み取りを行うことができる。
【００２３】
【特許文献１】
特開平１０−２９３４３１号公報（図１）
【００２４】
【発明が解決しようとする課題】
しかし、プラテンローラ２０８は、揺動アーム２４８，２４９によって前後が独立して、原稿台ガラス２８４に接地するようになっているため、原稿送り部Ｃを開けると、図１７に示すように自重と付勢ばね２５３，２５４の牽引力とによって、破線の位置から実線の位置に引き下げられるようになっている。
【００２５】
また、圧板２５５を閉じた状態では、弾性部材２５５ａが圧縮されて潰されているが、プラテンローラ２０８は、原稿送り部Ｃを開けると実線の位置まで下がり、圧板２５５の白色シート部２５５ｂの下面よりも距離ｈ分だけ下方に位置することになる。この状態で、ＬＧＬ原稿（最大サイズ）を原稿台ガラス２８４に載置して、原稿送り部Ｃを閉じると、ＬＧＬ原稿の後端部（右端部）にプラテンローラ２０８が先に接触し、その後、圧板２５５が原稿を押圧することになる。
【００２６】
図１８に示すように、原稿送り部Ｃを閉じていきながら、圧板２５５（図１７参照）で原稿を原稿台ガラス２８４に押さえるとき、圧板２５５は回動中心であるヒンジ２６２，２６３に近い奥側から原稿に接触して、その後、前側が原稿に接触していくため、プラテンローラ２０８の前側（揺動アーム２４８）が、原稿台ガラス２８４に接触する前に、揺動アーム２４９が矢印Ｙ方向に揺動し、かつ、正面からみると図１７に示す矢印Ｘ方向に揺動することになる。従って、図１９に示すように、最大サイズの原稿の後端が、プラテンローラ２０８の奥側の揺動にともなって、矢印Ｘ方向に位置がずれてしまう。
【００２７】
さらに、原稿送り部Ｃを閉じて行き、圧板２５５が原稿に接触した時点で、圧板２５５が原稿を押圧して、原稿は原稿台ガラス２８４上で奥側が右にずれた状態で留まる。この原稿位置で「固定読みモード」で画像を読み込むと、原稿が原稿台ガラス２８４上に角度α回転して載置された状態になっているので、出力画像が角度α回転するという問題も生じる。
【００２８】
また、奥側に原稿突き当て手段がある構成であっても、原稿（特に薄紙）が原稿突き当て手段に強く押し付けられることで、原稿が座屈したり、破損したりして、出力画像不良が発生するという問題を生じていた。
【００２９】
本発明は、原稿を流し読みするとき原稿を搬送し、原稿を固定読みするとき原稿を読み取り位置に押し付ける搬送回転体を備えていて、原稿を固定読みするとき搬送回転体によって原稿の位置がずれないようにするとともに、装置の小型化を図った画像読取装置を提供することを目的としている。
【００３０】
【課題を解決するための手段】
上記目的を達成するため、本発明の画像読取装置は、画像が形成されたシートが載置される読取ガラスと、前記読取ガラスの読取位置に送り込まれた前記シートを前記読取位置から送り出す搬送回転体及び前記読取ガラスに載置された前記シートを前記搬送回転体とともに前記読取ガラスに押圧可能な弾性を有する押さえ部材を有して前記読取ガラスに対して開閉可能なシート送り部と、前記読取ガラスに載置された前記シートを前記読取ガラスの下方で移動して読み取り、前記読取位置に送り込まれた前記シートを前記読取位置で停止して読み取る読取手段と、前記シート送り部で前記読取ガラスを閉じて前記押さえ部材で前記シートを前記読取ガラスに押圧した後、前記搬送回転体を押圧して前記搬送回転体が前記シートを前記読取ガラスに押圧するようにする押圧手段と、を備えている。
【００３１】
【発明の実施の形態】
以下、本発明の実施形態の画像読取装置を図に基づいて説明する。
【００３２】
本発明の画像読取装置の実施形態には、第１、第２実施形態の２つの実施形態がある。第１、第２実施形態の画像読取装置とも、プラテンローラ８の周辺の構造が、従来の画像読取装置の構造と異なっている。従来と同様な部分については、同一符号付して説明する。
【００３３】
なお、画像読取装置は、シートに形成された文字、絵、模様等（以下、総称して「画像」と言う）を読み取るようになっている。シートには、普通紙、樹脂製の厚みの薄いもの、厚紙、はがき、封書、オーバヘッドプロジェクト用の用紙等がある。本実施形態の画像読取装置は、流し読みモードのとき、例えば、普通紙に画像を形成した原稿を読み取るようになっている。
【００３４】
図１は、本発明の実施形態の画像読取装置を備えた画像形成装置の原稿搬送方向に沿った断面図である。
【００３５】
画像形成装置４００は、画像形成部Ａ、画像読取部Ｂ、原稿送り部Ｆ等を備えている。画像読取部Ｂと原稿送り部Ｆは、画像読取装置Ｋを構成している。この画像読取装置Ｋは、第１実施形態の画像読取装置である。
【００３６】
（画像形成装置４００の画像形成部Ａ）
図１において、画像形成部Ａは、被記録材Ｐ３に画像を形成する部分である。
【００３７】
ピックアップローラ８２は、カセットの傾動板８１に載置してある被記録材Ｐ３をカセットから送り出す。レジストローラ対８３は、回転を停止している状態で、被記録材Ｐ３の先端を受け止める。一方、感光体ドラム８５は、レーザスキャナ８６によって潜像を形成され、その後、現像器８７によってトナー画像が形成されている。
【００３８】
レジストローラ対８３は、感光体ドラム８５上のトナー画像の位置に合わせて、始動し、被記録材Ｐ３を感光体ドラム８５と転写器８８との間に送り込む。転写器８８は、トナー画像を被記録材Ｐ３に転写する。定着器８９は、被記録材Ｐ３を加熱加圧して、トナー画像を被記録材に定着する。最後、排出ローラ対９０は、トナー画像が定着された被記録材を排出トレイ９１に排出する。
【００３９】
（画像形成装置４００の第１実施形態の画像読取装置Ｋ）
第１実施形態の画像読取装置Ｋは、画像読取部Ｂと原稿送り部Ｆとで構成されている。
【００４０】
（画像読取部Ｂ）
図１に示す、画像読取部Ｂは、固定読みモードと流し読みモードとで原稿Ｐ１を読み取るようになっている。画像読取部Ｂは、フレーム２８１に走査レール２８２を左右方向に向けて配設してある。画像読取部Ｂは、走査レール２８２上を読取手段である例えば原稿読取センサ２８３、例えばコンタクトイメージセンサ（ＣＩＳ）が原稿台ガラス８４と平行に走査して、その原稿台ガラス８４上にセットされた原稿を読み取るようになっている（固定読みモード）。
【００４１】
画像読取部Ｂは、原稿台ガラス８４に原稿がセットされるとき、原稿の先端部（左側）が突き当てられる受け止め手段である例えば突き当て部２８０を有している。また、画像読取部Ｂは、原稿読取センサ２８３を読取位置Ｄに停止させて、原稿送り部Ｆによって原稿積載トレイ２５２から１枚ずつ供給されて読取位置Ｄ上を副走査方向に移動する原稿を読み取るようになっている（流し読みモード）。
【００４２】
（原稿送り部Ｆ）
図２は、原稿送り部Ｆの正面断面図である。シート送り部である例えば原稿送り部Ｆは、フレーム４９４内に収納されている。原稿送り部Ｆは、原稿の画像面を下向きにして載置する原稿積載トレイ２５２と、原稿に対向する位置にピックアップローラ２０３と、その下流にパッド２０４及び分離ローラ２０５からなる分離部とを有している。なお、ピックアップローラ２０３は、分離ローラ２０５の回転中心軸２０１に回動自在に設けた給紙アーム２１９，２２０（２２０は不図示）に回転自在に設けてある。ピックアップローラ２０３は、画像を下向きにして載置された原稿束の１番上（ラストページ）に接するようになっている。
【００４３】
また、ピックアップローラ２０３と分離ローラ２０５との間には、原稿セットセンサ２４４を設けてある。原稿セットセンサ２４４は、原稿積載トレイ２５２上に原稿があるか否かを検知するようになっている。分離ローラ２０５の下流には、レジストローラ対２０６，２０７を設けてある。分離ローラ２０５とレジストローラ対２０６，２０７との間には、レジ前センサ２４５を設けてある。レジ前センサ２４５は、分離ローラ２０５が原稿をレジストローラ２０６，２０７まで搬送するための搬送量を決めるために設けてある。
【００４４】
レジストローラ対２０６，２０７の下流には、画像読取部Ｂの原稿台ガラス８４上に原稿を押し付けながらその原稿を搬送するプラテンローラ８を配設してある。プラテンローラ８の下流には、原稿台ガラス８４上の原稿を排出する搬送ローラ対２０９，２１０を配設してある。さらに下流には、原稿を排出トレイ２１８に排出する排紙ローラ対２１１，２１２を配設してある。
【００４５】
図３に示すように、それぞれのローラは、ギア列やタイミングベルトにより駆動伝達されるようになっている。駆動モータ２２１のプーリ２２３は、開閉カバー２５１（図２参照）の回動中心である給紙駆動軸２４３上のプーリ３６１にタイミングベルト３６２を介してつながっている。給紙駆動軸２４３の軸上に配置されたプーリ２２５は、分離ローラ軸２３３上に配置したプーリ２２６にタイミングベルト２２７を介してつながっている。
【００４６】
プーリ２２６は、ピックアップローラ軸２３５上に配置されたプーリ２２９にタイミングベルト２３０を介してつながっている。プーリ２２６の回転力は、ワンウェイクラッチ２２４を介して分離ローラ２０５に伝達され、図２上で反時計回転方向には伝達されるが、時計方向には伝達されないようになっている。プーリ２２９の回転力は、カップリング部２３２を介してピックアップローラ２０３に伝達されるようになっている。給紙アーム（手前）２１９と給紙アーム（奥）２２０は、分離ローラ軸２３３とピックアップローラ軸２３５を支持しており、分離ローラ軸２３３を回動中心としてピックアップローラ２０３が回動自在に構成されている。また、ピックアップローラ軸２３５には摩擦部材２３１がプーリ２２９と給紙アーム（奥）２２０との間に設けられており、加圧ばね２３４により給紙アーム（奥）２２０側に付勢されている。
【００４７】
従って、プーリ２２６からタイミングベルト２３０を介してプーリ２２９を反時計方向回転させると、摩擦部材２３１の摺動負荷によりピックアップローラ２０３が分離ローラ軸２３３を中心に反時計方向（図２において、下降方向）に回転する。逆にプーリ２２６が時計方向に回転すると、ピックアップローラ２０３は分離ローラ軸２３３を中心に時計方向（図２において、上昇方向）に回転する。
【００４８】
次に、レジストローラ２０６、プラテンローラ８、搬送ローラ２０９、排紙ローラ２１１の駆動系について説明する。駆動モータ２２１の回転力は、プーリ２２２からタイミングベルト３６４を介してプーリ３６３に伝達されるようになっている。プーリ３６３にはワンウェイクラッチ３６５を接続してある。このワンウェイクラッチ３６５は、駆動モータ２２１の回転力を、分離ローラ２０５への回転方向とは逆方向の回転のみをレジストローラ２０６に伝達するようになっている。
【００４９】
従って、駆動モータ２２１の正転時には、図２において分離ローラ２０５に回転力が伝達されて分離ローラ２０５が反時計方向に回転するが、レジストローラ２０６には回転力が伝達されない。また、駆動モータ２２１も逆転時には、図２において分離ローラ２０５に回転力が伝達されないが、レジストローラ２０６には時計方向の回転力が伝達される。
【００５０】
レジストローラ２０６の軸上のプーリ３６６は、タイミングベルト３６８を介してプラテンローラ８の軸上のプーリ３６５に回転力を伝達するようになっている。また、レジストローラ２０６の軸上に設けたプーリ３６９，３７２は、タイミングベルト３７１，３７４を介して、プーリ３７０とプーリ３７３を回転させて、それぞれ搬送ローラ２０９と排紙ローラ２１１を回転させるようになっている。
【００５１】
（画像読取部Ｂと原稿送り部Ｆのヒンジ部の構成、及び原稿送り部Ｆの圧板の構成、プラテンローラの構成）
図３は、画像読取部Ｂと原稿送り部Ｆの上視断面図である。図３に示すように、符号２６２で示すヒンジは、画像読取部Ｂと原稿送り部Ｆの左側後方に設けてある。符号２６３で示すヒンジは右側後方に設けてある。図４において、左右ヒンジの足部２６２ａ，２６３ａ（２６２ａは２６３ａと同構成であるため不図示）が画像読取部Ｂに設けた嵌合孔２６１にそれぞれ差し込まれることで読取部Ｂに対する原稿送り部Ｆの前後左右方向の位置が決まるように構成されている。
【００５２】
また、左右ヒンジ足部２６２ａ，２６３ａは、画像読取部Ｂに設けた嵌合孔２６１に対して上下方向に移動可能で、固定読みモード時に厚みのある原稿を原稿台ガラス８４に置いて原稿送り部Ｆを閉じると上方向に逃げることができる（イコライズ可能な）ようになっている。
【００５３】
図５に示すように、プラテンローラ８の手前側、奥側の２個所と、原稿送り部Ｆの左手前側には、画像読取部Ｂへの接地部であるゴム足２６４，２６５，２６６を設けてあり、各接地部の３点を結んだ３角形内に原稿送り部Ｆの重心Ｇが来るようになっている。
【００５４】
ここで、図６に示すように、原稿送り部Ｆを開いた状態では左右ヒンジ２６２，２６３の受け面２６２ｂ，２６３ｂ（２６２ｂは２６３ｂと同構成であるため不図示）が画像読取部Ｂに接触（以下、「設置」という）して原稿送り部Ｆを支えるが、図４に示すように、原稿送り部Ｆを閉じた状態では、ゴム足２６４，２６５，２６６の各接地部が画像読取部Ｂに設置するので左右ヒンジ足２６２ａ，２６３ａは上方向にイコライズして左右ヒンジ２６２，２６３の受け面２６２ｂ，２６３ｂが画像読取部Ｂから離れるようになっている。
【００５５】
図７に示すように、プラテンローラ８は、前後を揺動アーム４８，４９に取り付けられており、前後の揺動アーム４８，４９の軸受け部４８ｂ，４９ｂを中心に回転するようになっている。前後の揺動アーム４８，４９は軸受け部４８ａ，４９ａを回動中心として揺動自在になっており、揺動アーム４８，４９とともにプラテンローラ８の前後が独立して揺動するようになっている。また、前後の揺動アーム４８，４９に各々掛けられた付勢部材である例えば付勢ばね５３，５４により、前後の揺動アーム４８，４９の最下部４８ｃ，４９ｃ（不図示）が原稿台ガラス８４に確実に設置するようになっている。
【００５６】
また、図２に示すように、原稿送り部Ｆは、固定読みモード時に、原稿台ガラス８４上の原稿を押圧する圧板５５を有している。圧板５５は、上位のスポンジ等の弾性部材５５ａと下位の白色シート部５５ｂとを貼り合わせて構成されている。原稿送り部Ｆを閉じた時には、原稿台ガラス８４上の原稿に白色シート部５５ｂが設置し、その後、ゴム足２６４，２６５，２６６が画像読取部Ｂに設置するまで弾性部材５５ａが圧縮される。従って、原稿台ガラス８４上の原稿は、確実に原稿台ガラス８４に押圧されて、載置された位置より動かにようになっている。
【００５７】
このように原稿送り部Ｆは、ゴム足２６４，２６５，２６６の各接地部の３点を結んだ３角形内に原稿送り部Ｆの重心Ｇがあるので、閉じられた状態で、自重によりゴム足２６４，２６５，２６６の各接触部が画像読取部Ｂに確実に設置するようになっている。原稿送り部Ｆは、画像読取部Ｂに対して常に一定の位置で取り付けることができる。このため、圧板５５が浮くことがなく、固定読みモード時は、圧板５５の浮きによる外光や画像かぶりによる影が発生することがない。
【００５８】
また、プラテンローラ８は、揺動アーム４８，４９によって前後が独立して、原稿台ガラス８４に接地するようになっているため、原稿送り部Ｆの接地状態が各機構間の寸法誤差によって若干異なっても、読取部では原稿台ガラス８４に一定の状態で接地できるため、プラテンローラ８が原稿台ガラス８４から所定以上浮くことで発生する画像かぶりが発生することなく確実に読み取りを行うことができる。
【００５９】
以上、説明した図１に示す画像形成装置４００は、読取位置Ｄを画像読取部Ｂの右側に配置してある。従って、画像形成装置４００は、流し読みモード時の読取位置と、固定読みモード時の読取位置との間に、指標１１８を配置することなく、左端に突き当て部２８０を配置することができるので、原稿台ガラス８４を小さくすることができるようになっている。
【００６０】
また、画像形成装置４００は、図５に示すように、固定読みモード時に、最大原稿サイズ（本実施形態ではＬＧＬサイズ）の後端をプラテンローラ８が押圧するようにして、原稿台ガラス８４をさらに小型化することで、画像読取部Ｂの小型化を図っている。ＬＧＬ原稿Ｐ２（最大サイズ原稿）の後端を圧板５５ではなく、プラテンローラ８で押圧するようにしても、プラテンローラ８が原稿台ガラス８４に押圧されるため、ＬＧＬ原稿の後端の浮きが防止されて、画像かぶりが発生しなくなり、確実に原稿の読み取りを行うことができる。
【００６１】
（第１実施形態の画像読取装置Ｋの特徴部分）
図２、図７に示すように、プラテンローラ８は、前後の揺動アーム４８，４９によって、軸受け部４８ａ，４９ａを回動中心に揺動する。また、揺動アーム４８，４９を上方に（矢印Ｗ方向）引き上げるプランジャ５６，５６（片方は不図示）を連結部４８ｆ，４９ｆに連結してある。なお、図２において、プランジャ５６は、排出トレイ１８から突出しているが、誇張するために図示したのであって、実際には突出していない。
【００６２】
原稿送り部Ｆを開けた状態においては、不図示の開閉検知センサの信号によりプランジャ５６は、揺動アーム４８，４９を引き上げる（図２の実線位置）。この状態において、揺動アーム４８，４９の最下点４８ｃ，４９ｃは、白色シート部５５ｂの下面に対して、距離Ｈ分上方に位置する。
【００６３】
揺動アーム４８，４９を引き上げた状態のまま、原稿送り部Ｆを閉じていくと、白色シート部５５ｂが先に原稿に接触して原稿を原稿台ガラス８４に押圧する。このため、原稿台ガラス８４上の原稿は、位置がずれすることなく、確実に原稿台ガラス８４に押圧される。
【００６４】
ここで、不図示のスタートボタンを押すと、プランジャ５６が吸引を停止して、揺動アーム４８，４９が付勢ばね５３，５４によって、原稿台ガラス８４上の原稿後端を押圧し、その後不図示の読取センサにより、原稿画像を読み取る。
【００６５】
上記の様に、揺動アーム４８，４９が、載置原稿（最大サイズ）に接触する前に、圧板で原稿を原稿台ガラス８４に押圧するために、載置原稿の位置ずれを防止することができる。
【００６６】
（第２実施形態の画像読取装置Ｍの特徴部分）
次に、本発明の第２実施形態の画像読取装置Ｍについて図８に基づいて説明する。
【００６７】
第１実施形態の画像読取装置Ｋと異なる部分を主に説明し、他の部分は同一であるのでその構成の説明は省略する。
【００６８】
図８に示すように、プラテンローラ４０８は、前後の揺動アーム４４８，４４９（奥側の揺動アーム４４９及び該アーム４４９に関する部分は、前側の揺動アーム４４８と同一構成のため不図示）によって、軸受け部４４８ａ，４４９ａを回動中心に揺動する。シート送り部である例えば原稿送り部Ｎを閉じた状態においては、揺動アーム４４８，４４９の最下部４４８ｃ，４４９ｃが原稿台ガラス４８４に接触するため、揺動アーム４４８，４４９は図８の破線の位置に上がっている。原稿送り部Ｎを開けた状態においては、揺動アーム４４８，４４９は付勢部材である例えば付勢ばね４５３，４５４（奥側の付勢ばねは、前側の付勢ばね４５３と同一のため不図示）により下方に引き下げられる。そこで、揺動アーム４４８，４４９に突き当て部４４８ｄ，４４９ｄを、フレーム側に突部である例えばストッパ部４４８ｅ，４４９ｅを、各々設けることにより、揺動アーム４４８が所定量以上回転するのを規制する。
【００６９】
この、回転規制時の揺動アーム４４８，４４９の最下部４４８ｃ，４４９ｃが、圧板４５５の白色シート部４５５ｂに対して距離Ｈ分、高く位置するように、ストッパ部４４８ｅを配置する。また、原稿送り部Ｎを閉じた際に、圧板４５５の白色シート部４５５ｂが図８の２点鎖線の位置になるまで、弾性部材４５５ａがつぶれたときに、プラテンローラ４０８が確実に原稿台ガラス４８４に当接しなければならない。従って、圧板４５５のつぶれ量Ｇと距離Ｈの関係が、Ｇ＞Ｈ＞０となるようにストッパ部４４８ｅ，４４９ｅを配設してある。
【００７０】
これにより、原稿送り部Ｎを閉じるときに、白色シート部４５５ｂが先に原稿に接触して押圧することで、揺動アーム４４８，４４９の揺動に対して、載置原稿（最大サイズ）がずれることを防止することができ、かつ、原稿送り部Ｎを閉じた状態において、確実にプラテンローラ４０８が原稿台ガラス４８４上の原稿を押圧することができる。
【００７１】
本発明の実施態様の例を以下に列挙する。
【００７２】
［実施態様１］  画像が形成されたシートが載置される読取ガラスと、前記読取ガラスの読取位置に送り込まれた前記シートを前記読取位置から送り出す搬送回転体及び前記読取ガラスに載置された前記シートを前記搬送回転体とともに前記読取ガラスに押圧可能な弾性を有する押さえ部材を有して前記読取ガラスに対して開閉可能なシート送り部と、前記読取ガラスに載置された前記シートを前記読取ガラスの下方で移動して読み取り、前記読取位置に送り込まれた前記シートを前記読取位置で停止して読み取る読取手段と、前記シート送り部で前記読取ガラスを閉じて前記押さえ部材で前記シートを前記読取ガラスに押圧した後、前記搬送回転体を押圧して前記搬送回転体が前記シートを前記読取ガラスに押圧するようにする押圧手段と、を備えたことを特徴とする画像読取装置。
【００７３】
実施形態１の画像読取装置Ｋは、フレーム４９４で、読取ガラスである例えば原稿台ガラス８４を閉じて押さえ部材である例えば圧板５５でシートである例えば原稿を原稿台ガラス８４に押圧した後、搬送回転体である例えばプラテンローラ８を押圧してプラテンローラ８が原稿を原稿台ガラス４に押圧するようにする押圧手段である例えばプランジャ５６を備えているので、プラテンローラ８が原稿を押圧するときの原稿の位置を防止して、原稿の画像を確実に読み取ることができる。
【００７４】
すなわち、実施形態１の画像読取装置Ｋは、フレーム４９４で原稿台ガラス８４を開いたとき、プランジャ５６により揺動アーム４８，４９を圧板５５の白色シート部５５ｂの下面より上方に引き上げて、その後、フレーム４９４で原稿台ガラス８４を閉めて、圧板５５で原稿を原稿台ガラス８４に押し付けた後に、プランジャ５６の吸引を停止し、原稿（最大サイズ原稿）の後端をプラテンローラ８で原稿台ガラス８４に押圧するようになっているので、原稿台ガラス８４に対する原稿の位置ずれを防止し、かつ、原稿を原稿台ガラス８４に押圧することができるため、確実に画像読み取りを行うことができる。
【００７５】
［実施態様２］  画像が形成されたシートが載置される読取ガラスと、前記読取ガラスの読取位置に送り込まれた前記シートを前記読取位置から送り出す搬送回転体及び前記読取ガラスに載置された前記シートを前記読取ガラスと前記搬送回転体とともに押圧可能な弾性を有する押さえ部材を有して前記読取ガラスに対して開閉可能なシート送り部と、前記読取ガラスに載置された前記シートを前記読取ガラスの下方で移動して読み取り、前記読取位置に送り込まれた前記シートを前記読取位置で停止して読み取る読取手段と、前記シート送り部で前記読取ガラスを閉じて前記押さえ部材で前記シートを前記読取ガラスに押圧した後、前記搬送回転体が前記シートを前記読取ガラスに押圧できる位置に前記搬送回転体を位置決めする位置決め手段と、を備えたことを特徴とする画像読取装置。
【００７６】
実施態様２の画像読取装置Ｍは、フレーム４９４で読取ガラスである例えば原稿台ガラス４８４を閉じて押さえ部材である例えば圧板４５５で原稿を原稿台ガラス４８４に押圧した後、搬送回転体である例えばプラテンローラ４０８が原稿を原稿台ガラスに押圧できる位置にプラテンローラ４０８を位置決めする位置決め手段である例えば突き当て部４４８ｄ及びストッパ部４４８ｅを備えているので、プラテンローラ４０８が原稿を押圧するときの原稿の位置を防止して、原稿の画像を確実に読み取ることができる。
【００７７】
すなわち、実施形態２の画像読取装置Ｍは、プラテンローラ４０８を揺動するための揺動アーム４４８，４４９の回転量（揺動量）を規制するストッパ部４８ｅを揺動アーム４４８，４４９に設けて、原稿送り部Ｎのフレーム４９４を開けた状態で、揺動アーム４４８，４４９の下面が、圧板４５５の白色シート部４５５ｂの下面よりも高くなるようになっているので、フレーム４９４を開閉したときに、プラテンローラ４０８より先に白色シート部４５５ｂが載置された原稿を押圧することで、最大サイズの原稿の後端部がプラテンローラ４０８の揺動によって、位置ずれすることを防止して、固定読み時の画像読み取りを確実に行うことができる。また、プランジャ５６等の高価な電気部品を使用しないため、上記効果を安価な装置構成で達成することができる。
【００７８】
［実施態様３］  前記押圧手段は、前記搬送回転体を前記読取ガラスに圧接する方向に付勢する付勢部材と、前記付勢部材に抗して前記搬送回転体を前記読取ガラスから離間する方向に牽引するプランジャとを有していることを特徴とする実施態様１に記載の画像読取装置。
【００７９】
［実施態様４］  前記位置決め手段は、固定部材に設けられて前記搬送回転体を受け止める突部と、前記搬送回転体を前記突部に圧接させる付勢部材とを有していることを特徴とする実施態様２に記載の画像読取装置。
【００８０】
［実施態様５］  前記搬送回転体は、前記押さえ部材の一端側に配設され、前記押さえ部材の他端側でかつ前記読取ガラス側に、前記読取ガラスに載置された前記シートの端部を受け止めて位置を決める受け止め手段を配設したことを特徴とする実施態様１乃至４のいずれ１項に記載の画像読取装置。
【００８１】
実施態様５の画像読取装置は、原稿Ｐ１を搬送しながら読み取る流し読み方式と、原稿台ガラス８４に載置した原稿Ｐ２を原稿読取センサ２８３を移動させて読み取る固定読み方式とを兼ね備えて、流し読みモードにおける読取位置Ｄを装置の例えば右側に配置し、固定読みモードにおける最大載置原稿の後端部をプラテンローラ８により押圧するようになっているので、第１従来例の画像形成装置において必要としていた指標１１８が不必要になり、図１において、左右方向の長さを短くして、小型にすることができる。
【００８２】
［実施態様６］  前記搬送回転体は、前記シートが送り込まれてくる方向に対して交差する方向を向いたローラであり、前記ローラの両端は前記シート送り部に回転自在に設けられた１対の回動片に支持されていることを特徴とする実施態様１乃至５のいずれか１項に記載の画像読取装置。
【００８３】
［実施態様７］  シートに形成された画像を読み取る画像読取装置と、前記画像読取装置によって読み取られた画像を被記録材に形成する画像形成手段と、を備え、前記画像読取装置は、実施態様１乃至６のいずれか１項に記載の画像読取装置であることを特徴とする画像形成装置。
【００８４】
実施態様７の画像形成装置は、小型の画像読取装置を備えているので小型にすることができる。
【００８５】
【発明の効果】
本発明の画像読取装置は、押さえ部材でシートを読取ガラスに押さえた後に、搬送回転体でシートを読取ガラスに押さえるので、シートの位置ずれを防止して、確実にシートの画像を読み取ることができる。
【００８６】
本発明の画像読取装置は、搬送回転体を押さえ部材の一端側に配設してあるので、固定読みモードにおいて、サイズの大きいシートの端部を搬送回転体で読取ガラスに押圧することができて、装置を小型にすることができる。
【図面の簡単な説明】
【図１】本発明の実施形態の画像読取装置を備えた画像形成装置の正面概略断面図である。
【図２】第１実施形態の画像読取装置の原稿搬送方向に沿った断面図である。
【図３】第１実施形態の原稿送り部の概略平面図である。
【図４】図２の画像読取装置において原稿送り部を閉じたときのプラテンローラに沿った概略断面図である。
【図５】第１実施形態の画像読取装置の画像読取部、及び原稿送り部の平面図である。
【図６】第１実施形態の画像読取装置において原稿送り部を開いたときの画像読取部、及び原稿送り部の右側面図である。
【図７】第１実施形態の画像読取装置におけるプラテンローラの斜視図である。
【図８】第２実施形態の画像読取装置の原稿搬送方向に沿った断面図である。
【図９】第１従来例の画像形成装置のシート搬送方向に沿った断面図である。
【図１０】図９の画像形成装置における、原稿送り部と画像読取部との部分拡大図である。
【図１１】図９の画像読取装置において、原稿送り部を開いた斜視図である。
【図１２】図９の画像形成装置の外観斜視図である。
【図１３】第２従来例の画像形成装置のシート搬送方向に沿った断面図である。
【図１４】図１３の画像形成装置の原稿送り装置の原稿搬送方向に沿った断面図である。
【図１５】図１３の画像読取装置の画像読取部、及び原稿送り部の平面図である。
【図１６】図１３の画像読取装置におけるプラテンローラの斜視図である。
【図１７】図１３の画像読取装置における原稿送り装置の原稿搬送方向に沿った断面図である。
【図１８】図１３の画像読取装置の原稿送り装置が原稿台ガラスに接触時における、プラテンローラに沿った断面図である。
【図１９】図１３の画像読取装置の原稿送り部が原稿台ガラスに接触時における、画像読取部、及び原稿送り部の平面図である。
【符号の説明】
Ｐ１    原稿（シート）
Ｐ２    原稿（シート）
Ｐ３    被記録材（シート）
Ａ      画像形成部
Ｂ      画像読取部
Ｄ      読取位置
Ｆ      原稿送り部（シート送り部）
Ｋ      第１実施形態の画像読取装置
Ｍ      第２実施形態の画像読取装置
Ｎ      原稿送り部（シート送り部）
８      プラテンローラ（搬送回転体）
４８      揺動アーム
４８ｃ    最下部
４８ｆ    連結部
４９      揺動アーム
４９ｃ    最下部
４９ｆ    連結部
５３      付勢ばね（押圧手段、付勢部材）
５４      付勢ばね（押圧手段、付勢部材）
５５      圧板（押さえ部材）
５５ａ    弾性部材
５５ｂ    白色シート部
５６      プランジャ（押圧手段）
８４      原稿台ガラス（読取ガラス）
８５      感光体ドラム（画像形成手段）
２８０      突き当て部（受け止め手段）
２８１      フレーム
２８３      原稿読取センサ（読取手段）
４００      画像形成装置
４０８      プラテンローラ（搬送回転体）
４４８      揺動アーム
４４８ｃ    最下部
４４８ｄ    突き当て部（位置決め手段）
４４８ｅ    ストッパ部（位置決め手段、突部）
４４８ｆ    連結部
４４９      揺動アーム
４４９ｃ    最下部
４４９ｄ    突き当て部
４４９ｅ    ストッパ部
４４９ｆ    連結部
４５３      付勢ばね（位置決め手段、付勢部材）
４５４      付勢ばね（位置決め手段、付勢部材）
４５５      圧板（押さえ部材）
４５５ａ    弾性部材
４５５ｂ    白色シート部
４８４      原稿台ガラス（読取ガラス）
４９４      フレーム
【図１】
2004221993.tif 000003
【図２】
2004221993.tif 000004
【図３】
2004221993.tif 000005
【図４】
2004221993.tif 000006
【図５】
2004221993.tif 000007
【図６】
2004221993.tif 000008
【図７】
2004221993.tif 000009
【図８】
2004221993.tif 000010
【図９】
2004221993.tif 000011
【図１０】
2004221993.tif 000012
【図１１】
2004221993.tif 000013
【図１２】
2004221993.tif 000014
【図１３】
2004221993.tif 000015
【図１４】
2004221993.tif 000016
【図１５】
2004221993.tif 000017
【図１６】
2004221993.tif 000018
【図１７】
2004221993.tif 000019
【図１８】
2004221993.tif 000020
【図１９】
2004221993.tif 000021